【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
各々が光電変換素子を含む複数の画素を有する撮像部と、
前記光電変換素子により得られた信号電荷を前記画素から読み出す読み出し動作を線順次で行うための線順次読み出し駆動と、前記画素内の前記信号電荷をリセットするためのリセット動作を線順次で行うための線順次リセット駆動とを行う駆動部と
を備え、
前記駆動部は、
前記線順次リセット駆動を１フレーム期間内で間欠的に複数回行うと共に、
一の線順次リセット駆動の際の駆動期間と他の一の線順次リセット駆動の際の駆動期間とのオーバーラップ期間内における前記リセット動作の期間において、前記一の線順次リセット駆動による各リセット動作と前記他の一の線順次リセット駆動による各リセット動作とがいずれも重ならない非オーバーラップ期間が少なくとも一部に設けられるように、前記複数回の線順次リセット駆動を行う
撮像装置。
【請求項２】
前記オーバーラップ期間内における前記リセット動作の期間において、前記非オーバーラップ期間が一部の期間でのみ設けられている
請求項１に記載の撮像装置。
【請求項３】
前記オーバーラップ期間内における前記リセット動作の期間が、全ての期間で前記非オーバーラップ期間となっている
請求項１に記載の撮像装置。
【請求項４】
前記駆動部は、前記線順次読み出し駆動および前記線順次リセット駆動の際に前記複数の画素に対する順次走査を行う走査部を有する
請求項１ないし請求項３のいずれか１項に記載の撮像装置。
【請求項５】
前記走査部は、
前記線順次リセット駆動の実行回数に対応して設けられた複数列のシフトレジスタ回路部と、
各列のシフトレジスタ回路部からの出力信号同士の論理和信号を、各出力信号の有効期間を制御しつつ生成する論理回路と
を有する請求項４に記載の撮像装置。
【請求項６】
前記線順次読み出し駆動と１回目の前記線順次リセット駆動とが、単一の線順次駆動によって同時に行われる
請求項１ないし請求項５のいずれか１項に記載の撮像装置。
【請求項７】
前記駆動部は、前記読み出し動作を行う際に用いられる信号線が一方の入力端子に接続されると共に所定のリセット電圧が他方の入力端子に入力されるチャージアンプを有し、
前記チャージアンプにおける仮想短絡現象を利用して、前記１回目の線順次リセット駆動の際の前記リセット動作が行われる
請求項６に記載の撮像装置。
【請求項８】
前記チャージアンプにおける帰還特性または仮想短絡現象を利用して、２回目以降の前記線順次リセット駆動の際の前記リセット動作が行われる
請求項７に記載の撮像装置。
【請求項９】
前記線順次読み出し駆動と各回の前記線順次リセット駆動とが、互いに独立して個別に行われる
請求項１ないし請求項５のいずれか１項に記載の撮像装置。
【請求項１０】
各画素はリセット用トランジスタを有し、
前記リセット用トランジスタがオン状態となることによって、前記各回の線順次リセット駆動の際の前記リセット動作が行われる
請求項９に記載の撮像装置。
【請求項１１】
前記線順次リセット駆動が、１水平期間を超える期間に亘って間欠的に複数回行われる
請求項１ないし請求項１０のいずれか１項に記載の撮像装置。
【請求項１２】
前記光電変換素子が、ＰＩＮ型のフォトダイオードからなる
請求項１ないし請求項１１のいずれか１項に記載の撮像装置。
【請求項１３】
前記撮像部が、入射した放射線に応じて電気信号を発生させるものであり、放射線撮像装置として構成されている
請求項１ないし請求項１２のいずれか１項に記載の撮像装置。
【請求項１４】
前記撮像部は、
前記光電変換素子を構成する光電変換層と、
前記放射線を前記光電変換層の感度域に波長変換する波長変換層と
を有する請求項１３に記載の撮像装置。
【請求項１５】
前記撮像部は、前記光電変換素子を構成すると共に前記放射線に応じて前記電気信号を直接発生させる光電変換層を有する
請求項１３に記載の撮像装置。
【請求項１６】
前記放射線がＸ線である
請求項１３ないし請求項１５のいずれか１項に記載の撮像装置。
【請求項１７】
撮像装置と、この撮像装置により得られた撮像信号に基づく画像表示を行う表示装置とを備え、
前記撮像装置は、
各々が光電変換素子を含む複数の画素を有する撮像部と、
前記光電変換素子により得られた信号電荷を前記画素から読み出す読み出し動作を線順次で行うための線順次読み出し駆動と、前記画素内の前記信号電荷をリセットするためのリセット動作を線順次で行うための線順次リセット駆動とを行う駆動部と
を備え、
前記駆動部は、
前記線順次リセット駆動を１フレーム期間内で間欠的に複数回行うと共に、
一の線順次リセット駆動の際の駆動期間と他の一の線順次リセット駆動の際の駆動期間とのオーバーラップ期間内における前記リセット動作の期間において、前記一の線順次リセット駆動による各リセット動作と前記他の一の線順次リセット駆動による各リセット動作とがいずれも重ならない非オーバーラップ期間が少なくとも一部に設けられるように、前記複数回の線順次リセット駆動を行う
撮像表示システム。
【手続補正２】
【補正対象書類名】明細書
【補正対象項目名】００４９
【補正方法】変更
【補正の内容】
【００４９】
図１０（Ａ），（Ｂ）はそれぞれ、前述したＰＩＮ型のフォトダイオードにおける、エネルギーバンド構造（各層の位置とエネルギー準位との関係）を表したものである。これらの図から分かるように、真性半導体層２１Ｉには多数の欠陥準位Ｅｄが存在している。そして、図１０（Ａ）に示したように、読み出し／第１リセット期間Ｔｒ１（１回目のリセット動作）の終了直後においては、これらの欠陥準位Ｅｄに電荷ｅが捕獲（トラップ）された状態となっている。ところが、例えば図１０（Ｂ）に示したように、読み出し／第１リセット期間Ｔｒ１からある程度の時間が経過すると、欠陥準位Ｅｄにトラップされている電荷ｅが、真性半導体層２１Ｉからフォトダイオード（光電変換素子２１）の外部へ放出される（図中の破線の矢印参照）。これにより、上記したＤｅｃａｙ電流Ｉdecayが光電変換素子２１から発生する。
【手続補正３】
【補正対象書類名】明細書
【補正対象項目名】００７０
【補正方法】変更
【補正の内容】
【００７０】
ここで、このような線順次撮像駆動（線順次読み出し駆動および線順次リセット駆動）の際の各動作のタイミング等は、例えば図４に示した単位回路１３０を有する行走査部１３によって実現されている。具体的には、線順次リセット駆動の実行回数に対応して設けられた複数列のシフトレジスタ回路１３１，１３２と、各列のシフトレジスタ回路１３１，１３２からの出力信号同士の論理和信号を、各出力信号の有効期間を制御しつつ生成する論理回路（ＡＮＤ回路１３３Ａ〜１３３ＤおよびＯＲ回路１３４Ａ，１３４Ｂ）と、によって実現されている。
【手続補正４】
【補正対象書類名】明細書
【補正対象項目名】００７２
【補正方法】変更
【補正の内容】
【００７２】
なお、このような動作タイミング等を実現している本実施の形態の行走査部１３に対して、従来の標準的な行走査回路（ゲートドライバ回路）では、異なる走査線に接続される画素における動作同士を、少なくとも一部がオーバーラップしないタイミング等で行うことはできない。
【手続補正５】
【補正対象書類名】明細書
【補正対象項目名】００９０
【補正方法】変更
【補正の内容】
【００９０】
波長変換層１１２は、放射線Ｒrad（α線，β線，γ線，Ｘ線等）を、光電変換層１１１の感度域に波長変換するものであり、これにより光電変換層１１１では、この放射線Ｒradに基づく情報を読み取ることが可能となっている。この波長変換層１１２は、例えばＸ線などの放射線を可視光に変換する蛍光体（例えば、シンチレータ）からなる。このような波長変換層１１２は、例えば光電変換層１１１の上部に、有機平坦化膜、スピンオングラス材料等からなる平坦化膜を形成し、その上部に蛍光体膜をＣｓＩ、ＮａＩ、ＣａＦ2等によって形成することにより得られる。